(57)【要約】【課題】  本発明は、ＰＷＭ信号発生器から出力されるＰＷＭ信号を変換することなく、液晶パネルに印加されるＰＷＭ信号の基準電位に対する正の電圧の積分値と負の電圧の積分値を等しくすることができ、簡単な構成で且つ安価な液晶駆動装置を提供することを課題とする。【解決手段】  コントローラ１２は、設定すべき液晶パネル４の屈折率に対応した液晶駆動量を発生させるためのデューティ比を求め、求めたデューティ比を周期的に反転させながらＰＷＭ信号発生部１１に指示する。また、コントローラ１２は、液晶パネル４の対向電極４２に印加する基準電圧を周期的に、ＰＷＭ信号発生部１１から出力されるＰＷＭ信号と同一の振幅レンジである電位Ｖ０と電位Ｖ１とに切り換える。コントローラ１２による電位の切り換えタイミングは、デューティ比を反転させるタイミングと同一タイミングで行われる。【選択図】        図２
2006155834.tif 000002
【特許請求の範囲】
【請求項１】
液晶パネルを駆動する液晶駆動装置であって、
前記液晶パネルの一方の電極にＰＷＭ信号を出力するＰＷＭ信号発生手段と、
前記ＰＷＭ信号発生手段に対して出力する前記ＰＷＭ信号のデューティ比を指示すると共に、前記液晶パネルの他方の対向電極に基準電圧を印加するコントロール手段とを具備し、
前記コントロール手段は、前記液晶パネルに設定すべき屈折率に対応するデューティ比を求め、求めたデューティ比を周期毎に反転させながら前記ＰＷＭ信号発生手段に指示すると共に、前記液晶パネルの他方の対向電極に印加する前記基準電圧を、前記デューティ比を反転させるタイミングと同一のタイミングで、且つ前記ＰＷＭ信号と同一の振幅レンジで切り換えることを特徴とする液晶駆動装置。
【請求項２】
レーザビームの光軸上に配置された収差補正用の液晶パネルを有する光ディスク装置であって、
光ディスクのチルト角を検出するチルト角検出手段と、
前記液晶パネルの一方の電極にＰＷＭ信号を出力するＰＷＭ信号発生手段と、
前記ＰＷＭ信号発生手段に対して出力する前記ＰＷＭ信号のデューティ比を指示すると共に、前記液晶パネルの他方の対向電極に基準電圧を印加するコントロール手段とを具備し、
前記コントロール手段は、前記チルト角により生じる収差を補正するために前記液晶パネルに設定すべき屈折率に対応するデューティ比を求め、求めたデューティ比を周期毎に反転させながら前記ＰＷＭ信号発生手段に指示すると共に、前記液晶パネルの他方の対向電極に印加する前記基準電圧を、前記デューティ比を反転させるタイミングと同一のタイミングで、且つ前記ＰＷＭ信号と同一の振幅レンジで切り換えることを特徴とする光ディスク装置。
【発明の詳細な説明】
【技術分野】
【０００１】
本発明は、収差補正用の液晶パネルを駆動する液晶駆動装置および光ディスク装置に関し、特にＰＷＭ信号によって収差補正用の液晶パネルを駆動する液晶駆動装置および光ディスク装置に関する。
【背景技術】
【０００２】
ＤＶＤ等の高密度化されたディスクを再生する際、光ピックアップの光軸に対するディスク面の傾きのマージン、即ちチルト角マージンが小さいので、再生機器にチルト角に対する制御手段を備えるのが好ましく、所定の形状に分割が施された収差補正用の液晶パネルをレーザビームの光軸上に配置し、当該液晶パネルを用いてディスク面の傾きやディスクの厚さにより生じる収差の補正を行う技術が提案されている。
【０００３】
また、液晶パネルを駆動する液晶駆動装置としては、制御部の制御によりＰＷＭ信号を発生するＰＷＭ信号発生器と、ＰＷＭ信号を分周する分周器と、分周器の出力信号に基づいて、ＰＷＭ信号発生器の出力信号と、ＰＷＭ信号発生器の出力信号の振幅の中間のレベルの信号とを切り換えて出力する切り換え手段を有し、切り換え手段の出力信号に基づいて液晶パネルに印加される駆動電圧を生成することで、簡単で安価な回路で駆動量を可変でき、直流成分を含まないものが提案されている（例えば、特許文献１参照）。
【０００４】
しかしながら、従来技術では、液晶パネルに直流成分を含んだ信号が印加されないように、液晶パネルに印加されるＰＷＭ信号の基準電位に対する正の電圧の積分値と負の電圧の積分値を等しくする必要があるため、ＰＷＭ信号発生器から出力されるＰＷＭ信号を周期的に交互に正電圧、負電圧の期間を持つ信号に変換する分周器および切り換え手段を設けなければならず、コストアップになってしまうという問題点があった。
【特許文献１】特開平１０−３３４４９２号公報
【発明の開示】
【発明が解決しようとする課題】
【０００５】
本発明は斯かる問題点に鑑みてなされたものであり、その目的とするところは、ＰＷＭ信号発生器から出力されるＰＷＭ信号を変換することなく、液晶パネルに印加されるＰＷＭ信号の基準電位に対する正の電圧の積分値と負の電圧の積分値を等しくすることができ、簡単な構成で且つ安価な液晶駆動装置を提供する点にある。
【課題を解決するための手段】
【０００６】
本発明は上記課題を解決すべく、以下に掲げる構成とした。
本発明の液晶駆動装置は、液晶パネルを駆動する液晶駆動装置であって、前記液晶パネルの一方の電極にＰＷＭ信号を出力するＰＷＭ信号発生手段と、前記ＰＷＭ信号発生手段に対して出力する前記ＰＷＭ信号のデューティ比を指示すると共に、前記液晶パネルの他方の対向電極に基準電圧を印加するコントロール手段とを具備し、前記コントロール手段は、前記液晶パネルに設定すべき屈折率に対応するデューティ比を求め、求めたデューティ比を周期毎に反転させながら前記ＰＷＭ信号発生手段に指示すると共に、前記液晶パネルの他方の対向電極に印加する前記基準電圧を、前記デューティ比を反転させるタイミングと同一のタイミングで、且つ前記ＰＷＭ信号と同一の振幅レンジで切り換えることを特徴とする。
【０００７】
また、本発明の光ディスク装置は、レーザビームの光軸上に配置された収差補正用の液晶パネルを有する光ディスク装置であって、光ディスクのチルト角を検出するチルト角検出手段と、前記液晶パネルの一方の電極にＰＷＭ信号を出力するＰＷＭ信号発生手段と、前記ＰＷＭ信号発生手段に対して出力する前記ＰＷＭ信号のデューティ比を指示すると共に、前記液晶パネルの他方の対向電極に基準電圧を印加するコントロール手段とを具備し、前記コントロール手段は、前記チルト角により生じる収差を補正するために前記液晶パネルに設定すべき屈折率に対応するデューティ比を求め、求めたデューティ比を周期毎に反転させながら前記ＰＷＭ信号発生手段に指示すると共に、前記液晶パネルの他方の対向電極に印加する前記基準電圧を、前記デューティ比を反転させるタイミングと同一のタイミングで、且つ前記ＰＷＭ信号と同一の振幅レンジで切り換えることを特徴とする。
【発明の効果】
【０００８】
本発明の液晶駆動装置は、液晶パネルの一方の電極に印加するＰＷＭ信号のデューティ比を周期毎に反転させると共に、液晶パネルの他方の対向電極に印加する基準電圧を、デューティ比を反転させるタイミングと同一のタイミングで、且つＰＷＭ信号と同一の振幅レンジで切り換えるように校正することにより、ＰＷＭ信号発生器から出力されるＰＷＭ信号を変換することなく、液晶パネルに印加されるＰＷＭ信号の基準電位に対する正の電圧の積分値と負の電圧の積分値を等しくすることができ、簡単な構成で且つ安価な装置を提供することができるという効果を奏する。
【発明を実施するための最良の形態】
【０００９】
以下、本発明の実施の形態を図面に基づいて詳細に説明する。
【００１０】
図１は、本発明に係る光ディスク装置の実施の形態の構成を示すブロック図であり、図２は、図１に示す液晶駆動装置の構成を示すブロック図であり、図３は、図１に示す液晶パネルに印加される駆動電圧の波形を示す波形図であり、
【００１１】
本実施の形態の光ディスク装置は、ＤＶＤ等の光ディスクに記録されている情報の再生や光ディスク１への情報の記録を行う装置であり、図１を参照すると、レーザビームを放射するレーザ光源２と、ハーフミラー３と、所定の形状に分割が施された収差補正用の液晶パネル４と、対物レンズ５と、集光レンズ６と、受光器７と、光ディスク１の傾きを検出するチルトセンサ８と、差分検出部９と、液晶駆動装置１０とからなる。
【００１２】
レーザ光源２から放射されたレーザビームは、ハーフミラー３で反射され、ハーフミラー３で反射されたレーザビームは液晶パネル４を通過し、対物レンズ５により光ディスク１上にビームスポットを形成する。光ディスク１から反射した反射光は、再度、対物レンズ５、液晶パネル４、ハーフミラー３を通過し、集光レンズ６により受光器７に集光される。
【００１３】
チルトセンサ８および差分検出部９は、光軸に対する光ディスク１のディスク面の傾き、すなわちチルト角を検出するチルト角検出手段として機能し、チルトセンサ８は、ピックアップに隣接して設けられ、１つの発光部と２つの受光部とを備え、光ディスク１に照射した光の反射光を各受光部で受光し、各受光部の出力が差分検出部９に供給される。
【００１４】
また、差分検出部９は、チルトセンサ８から供給される各受光部の出力の差分を検出し、当該検出結果をチルトエラー信号として液晶駆動装置１０に出力する。
【００１５】
液晶駆動装置１０は、差分検出部９から入力されるチルトエラー信号に応じて液晶パネル４の屈折率を設定し、チルト角により生じる収差を補正するための手段であり、図２を参照すると、液晶パネル４の一方の電極４１に印加されるＰＷＭ信号を出力するＰＷＭ信号発生部１１と、ＰＷＭ信号発生部１１から出力されるＰＷＭ信号のデューティ比を指示すると共に、液晶パネル４の液晶を挟んでＰＷＭ信号が印加される電極４１と対向する位置にある対向電極４２に基準電圧を印加するコントローラ１２とからなる。
【００１６】
ＰＷＭ信号発生部１１は、コントローラ１２に指示されたデューティ比のパルスを発生させ、発生させたパルスをＰＷＭ信号として出力する。なお、ＰＷＭ信号発生部１１から出力されるＰＷＭ信号は、図３（ａ）に示すように、周期Ｔ０であり、振幅レンジは、電位Ｖ０〜電位Ｖ１（Ｖ０＜Ｖ１）となっている。
【００１７】
コントローラ１２は、設定すべき液晶パネル４の屈折率に対応した液晶駆動量を発生させるためのデューティ比を求め、求めたデューティ比をｎ＊周期Ｔ０（ｎ＝１以上の整数）毎に反転させながらＰＷＭ信号発生部１１に指示する。すなわち、求めたデューティ比が３０％である場合には、デューティ比３０％の指示と、デューティ比を反転させたデューティ比７０％の指示とをｎ＊周期Ｔ０（ｎ＝１以上の整数）毎に反転させながら行う。ｎ＝５とすると、ＰＷＭ信号発生部１１から液晶パネル４の電極４１に、図３（ａ）に示すように、５＊周期Ｔ０毎にデューティ比が反転するＰＷＭ信号が印加されることになる。
【００１８】
また、コントローラ１２は、図３（ｂ）に示すように、液晶パネル４の対向電極４２に印加する基準電圧をｎ＊周期Ｔ０（ｎ＝１以上の整数）毎に、ＰＷＭ信号発生部１１から出力されるＰＷＭ信号と同一の振幅レンジである電位Ｖ０と電位Ｖ１とに切り換える。コントローラ１２による電位の切り換えタイミングは、デューティ比を反転させるタイミングと同一タイミングで行われ、求めたデューティ比を指示しているときには、電位Ｖ０を、反転させたデューティ比を指示しているときには、電位Ｖ１を液晶パネル４の対向電極４２に印加する。
【００１９】
これにより、液晶パネル４の対向電極４２を基準電位とすると、図３（ｃ）に示すように、液晶パネル４には、正電圧（Ｖ１）の期間と、負電圧（−Ｖ１）の期間とを有する周期Ｔ１（２ｎ＊周期Ｔ０）の電圧が印加されることになり、正電圧（Ｖ１）の期間では、求めたデューティ比のＰＷＭ信号が、負電圧（−Ｖ１）の期間では、反転させたデューティ比のＰＷＭ信号が液晶パネル４の電極４１にそれぞれ印加されているため、正の電圧の積分値と負の電圧の積分値が等しくなる。
【００２０】
以上説明したように、本実施の形態によれば、液晶パネル４の一方の電極４１に印加するＰＷＭ信号のデューティ比を周期毎に反転させると共に、液晶パネル４の他方の対向電極４２に印加する基準電圧を、デューティ比を反転させるタイミングと同一のタイミングで、且つＰＷＭ信号と同一の振幅レンジで切り換えるように校正することにより、ＰＷＭ信号発生器から出力されるＰＷＭ信号を変換することなく、液晶パネルに印加されるＰＷＭ信号の基準電位に対する正の電圧の積分値と負の電圧の積分値を等しくすることができ、簡単な構成で且つ安価な装置を提供することができるという効果を奏する。
【００２１】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２２】
【図１】本発明に係る光ディスク装置の実施の形態の構成を示すブロック図である。
【図２】図１に示す液晶駆動装置の構成を示すブロック図である。
【図３】図１に示す液晶パネルに印加される駆動電圧の波形を示す波形図である。
【符号の説明】
【００２３】
１  光ディスク
２  レーザ光源
３  ハーフミラー
４  液晶パネル
５  対物レンズ
６  集光レンズ
７  受光器
８  チルトセンサ（チルト角検出手段）
９  差分検出部（チルト角検出手段）
１０  液晶駆動装置
１１  ＰＷＭ信号発生部（ＰＷＭ信号発生手段）
１２  コントローラ（コントロール手段）
【図１】
2006155834.tif 000003
【図２】
2006155834.tif 000004
【図３】
2006155834.tif 000005